(57)【特許請求の範囲】
【請求項１】
スリット（２）の長手方向長さより2mm以上大きいサイズの下敷き（１）の長手方向の下敷き長手方向端部から10mm以上の位置に、筆記される紙の長手方向長さより1mm以上大きく、下敷き長手方向端部に対する角度が0度±10度以内で、幅が下敷き板厚より広く、スリット位置とスリット幅を合わせた距離が80mm以下となるスリット（２）を有し、スリット断面形状をテーパ形状とした下敷き。
【請求項２】
スリット（２）の長手方向長さより2mm以上大きいサイズの下敷き（１）の長手方向の下敷き長手方向端部から10mm以上の位置に、筆記される紙の長手方向長さより1mm以上大きく、下敷き長手方向端部に対する角度が0度±10度以内で、幅が下敷き板厚より広く、スリット位置とスリット幅を合わせた距離が80mm以下となるスリット（２）を有し、スリット断面形状を円弧形状とした下敷き。
【請求項３】
スリット（２）の長手方向長さより2mm以上大きいサイズの下敷き（１）の長手方向の下敷き長手方向端部から10mm以上の位置に、筆記される紙の長手方向長さより1mm以上大きく、下敷き長手方向端部に対する角度が0度±10度以内で、幅が下敷き板厚より広く、スリット位置とスリット幅を合わせた距離が80mm以下となるスリット（２）を有し、長手方向のスリットに加えて短手方向のスリットを有する下敷き。
【発明の詳細な説明】
【技術分野】
【０００１】
本発明は、筆記用下敷きの一部にスリットを設けることにより、簡素な構造で筆記の際の手の汚れを防ぐ下敷きに関するものである。
【背景技術】
【０００２】
通常の筆記用下敷きは筆記をおこなう紙の下に敷いて書きやすくかつ筆記される紙より下に筆記の跡が残りにくい状態にすることを目的とするが手の汚れを防止する機能はなく、筆記を続けておこなう際、文字を書いた部分に手を置いて書く必要があるため筆記した後に手が汚れてしまい、さらに汚れた手で筆記される紙も汚してしまう。
【０００３】
手の汚れを防止する下敷きとして、図６に示すように下敷き板（８）と手当て板（９）を具備しそれぞれの片端側を結合する係合部（１０）からなる筆記用下敷きが、特許文献１に開示されている。
【先行技術文献】
【特許文献】
【０００４】
【特許文献１】実用新案公開平２−５０３８９
【発明の概要】
【発明が解決しようとする課題】
【０００５】
しかしながら特許文献１の構造では、下敷き板（８）の他に手当て板（９）に加えて係合部（１０）が必要となるため、構造が複雑となりコストがかかる。また、下敷き自体の厚みも厚くなってしまうため持ち運びの際にスペースをとってしまう。
【０００６】
本発明は、上記課題を解決するためになされたものであって、その目的は、通常の筆記用下敷きと同じ簡素な構造でコストの上昇を抑えつつ、同等のスペースで手の汚れを防止する機能を有する下敷きを提供することにある。
【課題を解決するための手段】
【０００７】
本発明に係る下敷きは、図１に示すようにスリット長手方向長さより大きいサイズの下敷き（１）の長手方向の下敷き長手方向端部に近い位置に、筆記される紙より大きいサイズかつ下敷きの板厚より広い幅のスリット（２）を有する。
【発明の効果】
【０００８】
下敷きに筆記される紙より大きいサイズのスリットを設けることによって、スリット（２）に筆記される紙を通すことができるようになり、図２に示すように一枚の下敷きを筆記される紙の下に敷かれる下敷き部（３）と筆記される紙の上に置かれる手当て部（４）に使い分けることができる。
【０００９】
これによって、下敷きの機能である筆記をおこなう紙の下に敷いて書きやすくかつ筆記される紙より下に筆記の跡が残りにくい状態にすることに加えて、筆記の際の手の汚れを防止することができる。
【００１０】
またスリット（２）の位置cを下敷き端部に対して一定距離以上の位置に設置することによって、筆記部（５）に対して下敷き部（３）を確保することができる。
【００１１】
スリット幅eは、下敷きの板厚fより広い幅とすることで筆記される紙の折れ曲がりを防ぐことができる。
【００１２】
スリット位置cとスリット幅eを合わせたc+eは、筆記部（５）と手当て部（４）の距離が広くなりすぎない距離とすることで、筆記される紙がノートで右ページの左端に筆記する場合でも手の汚れを防止する下敷きの機能を発揮することができる。
【００１３】
本構造により、筆記される紙がノートの場合に図３に示すように左ページの筆記される紙を下敷きのスリット（２）に通すことによって左ページに筆記する場合でも手の汚れを防止する下敷きの機能を発揮することができる。
【００１４】
本構造は、通常の筆記用下敷きにスリットを加えた簡素な構造のため、コストの上昇を抑えつつ、同等のスペースで手の汚れを防止する機能を有する。
【図面の簡単な説明】
【００１５】
【図１】本発明の一実施形態を示す正面図である。（実施例１）
【図２】本発明の実施方法を示した説明図である。（実施例１）
【図３】本発明の実施方法を示した説明図である。（実施例１）
【図４】本発明の実施形態を示す断面図である。（実施例１、２）
【図５】本発明の一実施形態を示す正面図である。（実施例３）
【図６】従来例における汚れを防止する下敷きの説明図である。
【発明を実施するための形態】
【実施例１】
【００１６】
以下、本発明を実施するための形態について説明する。
下敷きの長手方向長さaがスリット（２）の長手方向長さより2mm以上大きい下敷き（１）の長手方向に、スリット長さbが筆記される紙の長手方向長さより1mm以上大きいスリット（２）を設ける。
【００１７】
これを使用するときは、筆記される紙をスリット（２）に通すことによって、一枚の下敷きをスリットで隔てられた狭い部分を筆記される紙の下に敷かれる下敷き部（３）、広い部分を筆記される紙の上に置かれる手当て部（４）に使い分けて使用する。
【００１８】
下敷きの長手方向長さaとスリット（２）の長手方向長さとの差が2mm未満の場合は下敷きの強度を保つことができない。また、スリット長さbと筆記される紙の長手方向長さとの差が1mm未満の場合は筆記される紙と下敷きのスリット間の動きが悪くなり、改行しながら連続して筆記する場合に使いづらい。
【００１９】
スリット（２）の位置cは下敷きの長手方向端部から10mm以上の位置に設ける。スリット位置cが10mm未満の場合は、筆記部（５）に対して下敷き部（３）を確保することができず下敷きの機能が失われる。
【００２０】
スリット（２）の下敷き長手方向端部に対する角度dは0度±10度以内とする。角度dが10度より大きい場合は、下敷き部（３）が筆記部（５）に対して斜めになるため筆記部（５）の一部が下敷き部（３）よりはみ出して下敷きの機能が失われる。
【００２１】
スリット（２）の幅eは下敷き板厚f（0.2〜2mm）より広い幅とする。スリット幅eが下敷き板厚fより狭い場合は、図４（i）に示すように筆記される紙（６）をスリット（２）に通した際に折れ曲がってしまう。
【００２２】
スリット（２）の位置cとスリット（２）の幅eを合わせたc+eは80mm以下とする。c+eが80mmより大きい場合は、筆記される紙がノートで右ページの左端に筆記する場合に筆記部（５）と手当て部（４）の距離が離れてしまうため、手当て部（４）に手を置いた状態で筆記することができず、手の汚れを防止する機能を発揮することができない。
【００２３】
スリット断面形状は、図４（ii）に示すようにテーパ形状とする。スリット断面をテーパ形状にすることによって、スリット幅eが下敷き板厚fより狭い場合でも筆記される紙（６）の折れ曲がりを防止できる。
【実施例２】
【００２４】
他の実施形態として図４（iii）に示すようにスリット断面を円弧形状とした下敷き。スリット断面を円弧形状にすることによって、スリット幅eが下敷き板厚fより狭い場合でも筆記される紙（６）の折れ曲がりを防止できる。
【実施例３】
【００２５】
他の実施形態として図５に示すように長手方向のスリットに加えて短手方向のスリット（７）を設けた下敷き。
【符号の説明】
【００２６】
１    下敷き
２    スリット
３    下敷き部
４    手当て部
５    筆記部
６    筆記される紙
７    スリット（長手方向＋短手方向）
８    下敷き板
９    手当て板
１０  係合部
a    下敷きの長手方向長さ
b    スリットの長手方向長さ
c    下敷き長手方向端部とスリット間の距離
d    スリットの下敷き長手方向端部に対する角度
e    スリット幅
f    下敷き板厚
【図１】
0006968483.tif 000002
【図２】
0006968483.tif 000003
【図３】
0006968483.tif 000004
【図４】
0006968483.tif 000005
【図５】
0006968483.tif 000006
【図６】
0006968483.tif 000007